(57)【要約】【課題】天秤とミシン針の間での糸暴れを防止する。【解決手段】糸案内装置は、糸の経路の上流側から順に、糸案内棒２１と、第１の糸調子器２２と、第２の糸調子器２３と、糸取りバネ２４と、糸掛け具２５と、第１の糸案内具２６と、天秤２７と、第２の糸案内具２８と、針棒糸掛け２９と、針棒糸案内３０とを備える。天秤２７よりも上流側の第１の糸案内具２６は、天秤２７の最下点よりも下方に配置されている。天秤２７よりも上流側の第２の糸案内具２８は、天秤２７の最下点よりも下方に配置され、更に第１の糸案内具２６よりも下方に配置されている。【選択図】図１
2007143931.tif 000002
【特許請求の範囲】
【請求項１】
ミシンのフレームの前面に沿って上下に移動する天秤と、
前記天秤よりも糸経路の上流側において前記フレームの前面に設けられた第１の糸案内具と、
前記天秤よりも糸経路の下流側において前記フレームの前面に設けられ、ミシン針よりも上方に配置された第２の糸案内具とを備え、糸供給源からの糸を前記第１の糸案内具、前記天秤、前記第２の糸案内具を順に経由して前記ミシン針まで案内する糸案内装置において、
前記第１の糸案内具及び前記第２の糸案内具が前記天秤の上下動範囲の最下点よりも下方に配置され、前記第２の糸案内具が前記第１の糸案内具よりも下方に配置されていることを特徴とする糸案内装置。
【請求項２】
前記フレームの前面が、鉛直面と、前記鉛直面の下端に連なり、下になるほど後方に向かうよう傾斜した傾斜面とを有し、前記第２の糸案内具が前記鉛直面と前記傾斜面の境界よりも上方において前記鉛直面に設けられていることを特徴とする請求項１に記載の糸案内装置。
【発明の詳細な説明】
【技術分野】
【０００１】
本発明は、糸供給源からの糸を天秤を経由してミシン針に案内する糸案内装置に関する。
【背景技術】
【０００２】
従来のミシンにおいては、糸が糸供給源から天秤を経由してミシン針まで案内されている（例えば、特許文献１、特許文献２参照。）。例えば、図３に示すように、糸供給源から導き出された糸１９９は、糸案内棒１２１、糸調子器１２２、糸調子器１２３、糸取りバネ１２５、糸掛け具１２４、糸案内具１２６、天秤１２７、糸案内具１２８、針棒糸掛け１２９を順に経由してミシン針１０８まで案内されている。天秤１２７の上流側の糸案内具１２６は、天秤１２７の下流側の糸案内具１２８と同じ高さに設置されている。
【特許文献１】特開平４−１４６７９４号公報
【特許文献２】実開平６−８１４８０号公報
【発明の開示】
【発明が解決しようとする課題】
【０００３】
しかしながら、図３に示すようなミシンでは、天秤１２７が下降した時に糸１９９が弛むので、糸１９９が糸案内具１２８から外れたり、糸１９９が糸案内具１２８とミシン針１０８の間で大きく弛んで絡まったりする。
【０００４】
そこで、本発明は、上記課題を解決するためになされたものであり、天秤とミシン針の間での糸暴れを防止することを目的とする。
【課題を解決するための手段】
【０００５】
以上の課題を解決するために、請求項１に係る発明は、ミシンのフレームの前面に沿って上下に移動する天秤と、前記天秤よりも糸経路の上流側において前記フレームの前面に設けられた第１の糸案内具と、前記天秤よりも糸経路の下流側において前記フレームの前面に設けられ、ミシン針よりも上方に配置された第２の糸案内具とを備え、糸供給源からの糸を前記第１の糸案内具、前記天秤、前記第２の糸案内具を順に経由して前記ミシン針まで案内する糸案内装置において、前記第１の糸案内具及び前記第２の糸案内具が前記天秤の上下動範囲の最下点よりも下方に配置され、前記第２の糸案内具が前記第１の糸案内具よりも下方に配置されていることを特徴とする。
【０００６】
以上のように、第１の糸案内具及び第２の糸案内具が天秤の最下点よりも下方に配置され、第２の糸案内具が第１の糸案内具よりも低い位置に配置されているので、第２の糸案内具からミシン針までの間で糸が大きく暴れることを防止することができる。
【０００７】
請求項２に係る発明は、請求項１に記載の糸案内装置であって、前記フレームの前面が、鉛直面と、前記鉛直面の下端に連なり、下になるほど後方に向かうよう傾斜した傾斜面とを有し、前記第２の糸案内具が前記鉛直面と前記傾斜面の境界よりも上方において前記鉛直面に設けられていることを特徴とする。
【０００８】
以上のように、第２の糸案内具が鉛直面と傾斜面との境界よりも上方に設けられているので、糸が鉛直面と傾斜面との境界に当たることを防止することができる。
【発明の効果】
【０００９】
請求項１に係る発明によれば、第２の糸案内具からミシン針までの間で糸が大きく暴れることを防止することができ、糸をミシン針に安定して供給することができる。
【００１０】
請求項２に係る発明によれば、糸が鉛直面と傾斜面との境界に当たることが防止でき、糸に余分な張力を与えずに済み、糸暴れ等を防止することができる。
【発明を実施するための最良の形態】
【００１１】
以下に、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
【００１２】
図１及び図２に示すように、ミシン１は、テーブル２と、テーブル２の上に設けられたフレーム３とを備える。フレーム３は、テーブル２から上方に立ち上げられた縦胴部４と、縦胴部４の上部から左方に延出したアーム部５と、アーム部５の左先端部から下方に突出したアゴ部６とから構成されている。アゴ部６は下端にむかうほど細くなるよう先細りに形成されている。アゴ部６の上ではアーム部５の前面が鉛直面５１とされ、アゴ部６の前面がアーム部５の前面に対して傾斜した傾斜面６１とされ、その傾斜面６１は下になるほど後方に向かうよう傾斜している。
【００１３】
アゴ部６の下端には針棒７が設けられ、針棒７の下端にミシン針８が設けられ、ミシン針８には糸穴が形成されている。なお、このミシン１が本縫いミシンであり、ミシン針８の下方であってテーブル２の下側に釜装置が設けられ、ミシン針８と釜装置の協動により本縫いが施される。
【００１４】
このミシン１には、糸供給源となる糸巻きからミシン針８まで糸を案内する糸案内装置が設けられている。糸案内装置は、糸の経路の上流側から順に、糸案内棒２１と、第１の糸調子器２２と、第２の糸調子器２３と、糸取りバネ２４と、糸掛け具２５と、第１の糸案内具２６と、天秤２７と、第２の糸案内具２８と、針棒糸掛け２９と、針棒糸案内３０とを備える。
【００１５】
糸案内棒２１はアーム部５の上面において起立するよう設けられ、第１の糸調子器２２はアーム部５の前面上部に設けられ、第１の糸調子器２２の上流側と下流側に糸案内穴２２ａ，２２ｂがそれぞれ設けられている。第１の糸調子器２２の下方であってアーム部５の前面下部には、第２の糸調子器２３が設けられている。第２の糸調子器２３に糸取りバネ２４が設けられ、第２の糸調子器２３の左方に糸掛け具２５が設けられている。
【００１６】
アーム部５の前面であって第１の糸調子器２２と第２の糸調子器２３との間には、第１の糸案内具２６が設けられている。第１の糸案内具２６の左方には天秤２７がアーム部５の前面から前方に延出するよう設けられ、この天秤２７がアーム部５の前面に沿って上下に往復移動するように設けられている。第１の糸案内具２６は、天秤２７の上下動範囲内における最下点よりも下方に配置されている。なお、図１では、天秤２７が最下点に位置した状態を示している。
【００１７】
天秤２７の左方に第２の糸案内具２８が設けられている。第２の糸案内具２８は、天秤２７の最下点よりも下方に配置され、更に第１の糸案内具２６よりも下方に配置されている。また、図２に示すように、第２の糸案内具２８は、アゴ部６の傾斜面６１とアーム部５の鉛直面５１との境界よりも上方に配置され、鉛直面５１の下端に設けられている。
【００１８】
図１に示すように、第２の糸案内具２８の位置を基準として第１の糸案内具２６までの高さをＡとし、第１の糸案内具２６を基準として天秤２７の最下点までの高さをＢとし、第２の糸案内具２８を基準として天秤２７の最下点までの高さをＣとした場合、高さＡと高さＢが略等しく、高さＣは高さＡの略２倍である。
【００１９】
針棒糸掛け２９は第２の糸案内具２８よりも下方において針棒７の上部に設けられ、針棒糸案内３０は針棒糸掛け２９よりも下方において針棒７の下部に設けられている。針棒糸掛け２９を基準として第２の糸案内具２８までの高さをＥとした場合、高さＥは高さＡの４倍である。なお、ミシン針８の穴は針棒糸案内３０の下方にある。
【００２０】
糸の案内経路は以下のようになる。糸巻きからの糸９９が糸案内棒２１の穴に通され、次に、その糸９９が第１の糸調子器２２の上流側の糸案内穴２２ａに通された後に第１の糸調子器２２に挟まれ、その次に下流側の糸案内穴２２ｂに通されている。次に、糸９９が糸調子器２３に挟まれ、その次に糸取りバネ２４に掛けられ、その次に糸掛け具２５に掛けられている。次に、糸９９が第１の糸案内具２６に通されて、次に天秤２７に通され、次に第２の糸案内具２８に通されている。次に、糸９９が針棒糸掛け２９に掛けられ、次に針棒糸案内３０に掛けられ、最後にミシン針８の穴に通されている。なお、図２では、図面を見やすくするために糸９９を外した状態が示されている。
【００２１】
この糸案内装置では、天秤２７から針棒７までの間には第２の糸案内具２８がただ１つだけ設けられており、第２の糸案内具２８と針棒糸掛け２９との間には糸案内や糸掛けが設けられていない。
【００２２】
この糸案内装置を備えたミシン１においては、ミシン針８とともに天秤２７が上下動することによって本縫いが施される。天秤２７が下降すると、糸９９が弛むが、第２の糸案内具２８が第１の糸案内具２６よりも低い位置に配置されているので、第２の糸案内具２８からミシン針８までの間で糸９９が大きく弛んで、第２の糸案内具２８から糸が外れることを防止することができる。
【００２３】
更に、第２の糸案内具２８が鉛直面５１と傾斜面６１の境界よりも上方においてその境界近傍に配置されているので、糸９９が鉛直面５１と傾斜面６１との境界に当たることが防止でき、糸９９に余分な張力を与えずに済み、糸９９の暴れ等を防止することができる。
【００２４】
なお、本発明は上記実施形態に限定されることなく、本発明の主旨を逸脱しない範囲において種々の改良及び設計の変更をおこなっても良い。
例えば、上記ミシン１が本縫いミシンであるが、環縫いミシンにも本発明に係る糸案内装置を適用することができる。環縫いミシンの場合には、テーブル２の下側には、釜装置の代わりにルーパーが設けられている。
【図面の簡単な説明】
【００２５】
【図１】ミシンの正面図である。
【図２】ミシンの左側面図である。
【図３】従来のミシンの正面図である。
【符号の説明】
【００２６】
１  ミシン
３  フレーム
８  ミシン針
２６  第１の糸案内具
２７  天秤
２８  第２の糸案内具
【図１】
2007143931.tif 000003
【図２】
2007143931.tif 000004
【図３】
2007143931.tif 000005